(57)【要約】      （修正有）【課題】高さの調整ができ方向転換して表示でき、占有体積の縮減と要求に応じた高さへの調整ができる携帯に便利なカラーコーン（登録商標）を提供する。【解決手段】カラーコーンは、コーン上部と、環状管とコーン台部とにより構成される。環状管は複数の環状双錐体を延伸、連続、接続して成る複数段の伸縮型管体であり、上端はコーン上部の底端に連結し、底端はコーン台の上端に連結し、コーン台の底部には横方向に延伸した地面に置くための基本板を配置する。使用時には、コーン上部をコーン台から引き離すように引っ張り、それに対応する環状管を適当な高さに調整する。【選択図】図３
0003165563.tif 000002
【実用新案登録請求の範囲】
【請求項１】
中空の短い尖った錐形筒体であり、底端と環状管の上端を連結させるコーン上部と、
複数の環状双錐体を延伸連続させて複数段の錐型伸縮管体を形成し、その上端及び底端をそれぞれ、コーン上部の底端及びコーン台の上端とに連結させる環状管と、
中空の短く広い錐形筒体であり、上端と環状管の底端とを連結し、底部には横方向に延伸する基本板を配置するコーン台とを備え、
複数の環状双錐体を相互に引っ張り合い、形状を圧縮させて、角度を変化させ垂直高度を上下させる作用と、位置を元に戻す機能の弾性回復力を若干備え、僅かな衝撃に耐えて元に戻り定位する作用によって、方向転換可能な表示を提供し位置ずれを防ぎ、占有する体積を縮減し要求に応じて高さを上下させることを特徴とするカラーコーン。
【請求項２】
前記コーン上部と環状管とコーン台とは三つの部材を分節嵌着或いは一体成型して形成されることを特徴とする請求項１記載のカラーコーン。
【考案の詳細な説明】
【技術分野】
【０００１】
本考案はカラーコーンに関し、特に高さの調整ができ方向転換して表示できる警告標識に係り、要求に応じて高さを上下させられ積載する材料体積を縮減する技術分野に属するカラーコーン（安全標識）を提供する。
【背景技術】
【０００２】
一般のカラーコーンは、底台２２に配置した中空円錐体２１を主体として、地面上に置き（図１参照）、その多くは工事現場や進入禁止区域に用いて警告表示作用を有する。しかし、カラーコーンは一体成型であり、使用しない場合は、複数のカラーコーンを相互に重ね合わせるため、各カラーコーンの高さを短縮することはできない。よって、重ね合わせた後の高さが増大する故、搬送や収納が難しく（図２参照）非常に不便である。
【考案の概要】
【考案が解決しようとする課題】
【０００３】
本考案は、公知技術にある一体成型であり、使用しない場合は、複数のカラーコーンを相互に重ね合わせるため、各カラーコーンの高さを短縮することはできず、重ね合わせた後の高さが増大する故、搬送や収納が難しく非常に不便である点を解決するためのカラーコーンを提供する。
【課題を解決するための手段】
【０００４】
本考案の主な目的は、次のカラーコーンを提供することにある。カラーコーンは、中空の短く尖った錐形筒体のコーン上部をなし、底端と環状管の上端と連結し、前記環状管は複数の環状双錐体が延伸、連続、接続して成る複数段の錐形伸縮管体とし、その底端と中空の短い幅広錐形筒体のコーン台上端に連結し、前記コーン台の底部には地面に置くための基本板を横方向に延伸させる。使用時には、コーン上部をコーン台から遠く離すように引っ張り、それに対応する環状管を適当な高さに調整する。状況に応じて、最高点まで高くするか高さを低くすることができ、警告表示効果を高めて衝撃を防ぐ。收納する場合は、コーン上部をコーン台に近づけるように圧して、対応する環状管を最低位置まで下げて調整すると、携帯及び重ね合わせる材料の体積を削減し、高さを上下に調整し体積を縮減し、携帯に便利な効果を有するものとなる。
【０００５】
本考案の次の目的は、次のカラーコーンを提供することにある。前記カラーコーンは、コーン上部を引っ張り出しコーン台から引き離し、それに対応する環状管を適当な角度に曲げて調整し、方向転換のできる警告表示標識を形成する。また、環状管には多少、元の位置に戻る機能の弾性回復力を有し、わずかな衝撃や外力を受け止めて元の位置に定位する作用を備えているため、位置移動を防ぎ手間を減らす実用性を提供し、方向転換する機能を兼ね備えた良好な表示運用を達成する。
【考案の効果】
【０００６】
本考案のカラーコーンは、高低を調整し積み重ねる素材の体積を減少させ、方向転換して表示する実用効果を備えるものである。
【図面の簡単な説明】
【０００７】
【図１】公知技術のカラーコーンの立体図である。
【図２】公知技術のカラーコーンを積み重ねた状態図である。
【図３】本考案の立体図である。
【図４】本考案の側面図である。
【図５】本考案を縮めた状態の立体図である。
【図６】本考案を縮めた状態の側面図である。
【図７】本考案の積み重ねた状態の立体図である。
【図８】本考案を積み重ねた状態の側面図である。
【図９】本考案の角度を曲げた状態の立体図である。
【図１０】本考案の角度を曲げた状態の側面図である。
【考案を実施するための形態】
【０００８】
図３乃至図６に示した本考案のカラーコーンはコーン上部３と環状管４とコーン台５とを備える。
【０００９】
コーン上部３は、中空の短い尖った錐形筒体であり、その底端と環状管４の上端は一体成型するか分節して嵌着する。
【００１０】
環状管４は、複数の環状双錐体４１を延伸連続させて複数段の錐型伸縮管体を形成し、複数の環状双錐体４１が相互に引っ張り合い或いは形状を圧縮させ、角度を変化し上下高さを調整する作用を備える。並びに、位置を元に戻す機能である弾性回復力を若干備えているため、僅かな衝撃を受けた後、位置を元に戻して定位する働きがあり、その上端及び底端はそれぞれコーン上部３の底端及びコーン台５の上端と一体成型或いは分節嵌着する。
【００１１】
コーン台５は、中空の短く広い錐形筒体とし、その上端と環状管４の底端は一体成型或いは分節嵌着し、底部には横方向に延伸する基本板５１を配置するため、地面の上に安定して置くことができる。前記構成により、占有する体積を縮減し、伸び縮み高さの要求に応じられる方便な使用効果を達成する。
【００１２】
図３、図４、図７、図８に示す通り、本考案のカラーコーンは、コーン上部３と環状管４とコーン台５とを一体成型により作製される。使用時には、要求に応じてコーン上部３をコーン台５から引き離す方向に引っ張り上げ、環状管３を適当な垂直高度に調整し、状況に応じては、その高さを最高点まで上げて警告表示標識の効果を高めることができる。また、状況に応じては、高さを下げて衝突を防ぐこともできる。收納時には、コーン上部３をコーン台５に近づかせるように圧して、環状管３を最低垂直高度にすると、使用者は、カラーコーンを手に持ち重ね合わせる体積を縮小でき（図７、図８参照）るため、高さを調整したり体積を縮減でき、携帯の便利さに効果を提供する。
【００１３】
図３、図９、図１０に示す通り、要求に応じて、コーン上部３をコーン台５から引き離す方向に引っ張り上げ、環状管３を適当な角度に曲げ、方向転換のできる警告表示標識を形成する。環状管３には若干の位置回復機能の弾性回復力を備え、僅かな衝撃や外力に耐え位置を戻して定位する作用を有するため、位置が簡単に移動してしまうのを防ぎ警告を表示する実用性を兼ね備え、方向転換をしての良好な表示効果を達成する。
【００１４】
前述した通り、本考案は、高低を調整し積み重ねる素材の体積を減少させる効果と、方向転換して表示する実用性を確実に提供し、実用性を増進する実用新案の要件に明らかに符合するものである。
【符号の説明】
【００１５】
３      コーン上部
４      環状管
４１    環状双錐体
５      コーン台
５１    基本板
【図１】
0003165563.tif 000003
【図２】
0003165563.tif 000004
【図３】
0003165563.tif 000005
【図４】
0003165563.tif 000006
【図５】
0003165563.tif 000007
【図６】
0003165563.tif 000008
【図７】
0003165563.tif 000009
【図８】
0003165563.tif 000010
【図９】
0003165563.tif 000011
【図１０】
0003165563.tif 000012